(57)【要約】【課題】ドラムカートリッジおよび現像カートリッジが装置本体に対して装着された状態において、現像ローラを感光ドラムに対して移動可能に構成し、そのうえで現像ローラを感光ドラムに向けて押すことで、感光ドラムと現像ローラとの位置関係を適切に保つことができる画像形成装置を提供する。【解決手段】  画像形成装置１は、開口２１を有し、回動軸２２Ａを中心として回動可能なカバー２２を備える装置本体２と、感光ドラム３０を備えるドラムカートリッジ３と、現像ローラ４０を備える現像カートリッジ４と、ガイド６を有し、ドラムカートリッジ３および現像カートリッジ４が装置本体２に対して装着された状態において、揺動することにより現像ローラ４０を感光ドラム３０に対して移動させる揺動板５とを備える。開口２１は、装置本体２の側面２Ａに設けられる。回動軸２２Ａは、開口２１よりも下方に配置される。【選択図】図１
2019049639.tif 000002
【特許請求の範囲】
【請求項１】
開口を有し、前記開口を開放する開位置と前記開口を閉鎖する閉位置との間を、回動軸を中心として回動可能なカバーを備える装置本体と、
感光ドラムを備え、前記開口を介して前記装置本体に対して装着可能なドラムカートリッジと、
現像ローラを備え、前記開口を介して前記装置本体に対して装着可能な現像カートリッジと、
前記装置本体に対して揺動可能に取り付けられ、前記現像カートリッジを支持可能な揺動板であって、前記装置本体に対する前記現像カートリッジの装着をガイドするためのガイドを有し、前記ドラムカートリッジおよび前記現像カートリッジが前記装置本体に対して装着された状態において、揺動することにより前記現像ローラを前記感光ドラムに対して移動させる揺動板と、を備え、
前記開口は、前記装置本体の側面に設けられ、
前記カバーの前記回動軸は、前記開口よりも下方に配置されることを特徴とする、画像形成装置。
【請求項２】
前記揺動板は、前記装置本体に対する前記ドラムカートリッジの装着をガイドするためのドラムガイドを有することを特徴とする、請求項１に記載の画像形成装置。
【請求項３】
前記ガイドおよび前記ドラムガイドは、共通のガイドであることを特徴とする、請求項２に記載の画像形成装置。
【請求項４】
前記感光ドラムは、前記感光ドラムの回転軸線に沿って延びるドラムシャフトを備え、
前記現像ローラは、前記現像ローラの回転軸線に沿って延びる現像シャフトを備え、
前記現像シャフトの径は、前記ドラムシャフトの径よりも長く、
前記ガイドは、溝であって、前記現像シャフトの径以上の長さを有し、前記ドラムシャフトおよび前記現像シャフトをガイドする第１ガイドと、溝であって、前記ドラムシャフトの径以上かつ前記現像シャフトの径未満の長さを有し、前記ドラムシャフトをガイドする第２ガイドと、を備えることを特徴とする、請求項３に記載の画像形成装置。
【請求項５】
前記装置本体は、前記装置本体に対する前記現像カートリッジの装着をガイドする本体ガイドであって、前記揺動板に向けて前記現像カートリッジをガイドする本体ガイドを有し、
前記揺動板は、
前記現像カートリッジが前記装置本体に装着された状態において、前記現像ローラが前記感光ドラムから離間している第１位置と、前記感光ドラムに対して前記現像ローラが接触または前記第１位置よりも近接している第２位置との間を揺動可能であり、
前記現像カートリッジが前記装置本体に装着され、かつ、前記第１位置にあるときに、前記現像カートリッジの前記本体ガイドから前記揺動板への案内を許容することを特徴とする、請求項１〜４のいずれか一項に記載の画像形成装置。
【請求項６】
前記現像ローラは、前記現像ローラの回転軸線に沿って延びる現像シャフトを備え、
前記装置本体は、前記装置本体に対する前記現像カートリッジの装着をガイドする本体ガイドであって、前記揺動板に向けて前記現像カートリッジをガイドする本体ガイドを有し、
前記本体ガイドは、前記現像カートリッジの装着方向に延び、前記現像カートリッジの装着方向における上流端および下流端を有し、
前記ガイドは、前記現像カートリッジの装着方向に延び、前記現像カートリッジの装着方向における上流端および下流端を有し、
前記揺動板は、
前記ガイドの前記上流端は、前記本体ガイドの前記下流端に対して、前記現像シャフトが前記本体ガイドから前記ガイドへ移動可能な位置である第１位置と、
前記ガイドの前記上流端が前記本体ガイドの前記下流端に対して前記第１位置よりもずれる第２位置との間を、前記現像カートリッジの装着方向と交差する方向に揺動可能であり、
前記ドラムカートリッジおよび前記現像カートリッジが前記装置本体に対して装着された状態において、前記揺動板は、前記第２位置に位置し、前記現像ローラを前記感光ドラムに接触ないし近接させることを特徴とする、請求項１〜４のいずれか一項に記載の画像形成装置。
【請求項７】
前記揺動板の揺動中心は、前記現像カートリッジが前記装置本体に対して装着された状態において、前記現像ローラよりも上側に位置することを特徴とする、請求項６に記載の画像形成装置。
【請求項８】
前記現像カートリッジは、トナーを収容する筐体と、前記筐体から突出し、前記現像シャフトの一部を含む突起と、を備え、
前記揺動板は、前記現像カートリッジが前記装置本体に対して装着された状態において、前記突起を上から下に向けて押圧して、前記突起を前記ガイドに接触させる第１押しバネを有することを特徴とする、請求項７に記載の画像形成装置。
【請求項９】
前記装置本体は、前記揺動板に対して下側に配置され、前記揺動板を前記第２位置から前記第１位置に向かう方向に押圧する第２押しバネを備えることを特徴とする、請求項８に記載の画像形成装置。
【請求項１０】
前記装置本体は、前記ガイドに対して前記第２押しバネの反対側に位置する第３押しバネを備え、
前記第３押しバネは、
前記現像カートリッジが前記装置本体に対して装着された状態において、前記現像カートリッジを押圧し、前記第２押しバネに抗して前記揺動板を前記第２位置に位置させることを特徴とする、請求項９に記載の画像形成装置。
【請求項１１】
前記第３押しバネの押圧力は、前記第２押しバネの押圧力よりも大きいことを特徴とする、請求項１０に記載の画像形成装置。
【請求項１２】
前記装置本体は、前記カバーの移動に連動して移動するカムを備え、
前記カムは、
前記カバーが前記開位置に位置する状態において、前記揺動板を前記第１位置に向かって押圧する押圧位置と、
前記カバーが前記閉位置に位置する状態において、前記揺動板に対する押圧を解除して、前記揺動板を前記第２位置に位置させる押圧解除位置との間を移動可能であることを特徴とする、請求項６または請求項７に記載の画像形成装置。
【請求項１３】
前記装置本体は、前記カバーの移動に連動して移動する接触部材を備え、
前記接触部材は、
前記前記現像カートリッジが前記装置本体に装着され、かつ、前記カバーが前記閉位置に位置する状態において、前記現像カートリッジと接触する接触位置と、
前記前記現像カートリッジが前記装置本体に装着され、かつ、前記カバーが前記開位置に位置する状態において、前記現像カートリッジに対する接触を解除する接触解除位置との間を移動可能であることを特徴とする、請求項１２に記載の画像形成装置。
【請求項１４】
前記揺動板の揺動中心は、前記現像カートリッジが前記装置本体に対して装着された状態において、前記現像ローラよりも下側に位置することを特徴とする、請求項５または６に記載の画像形成装置。
【請求項１５】
前記現像ローラは、前記現像ローラの回転軸線に沿って延びる現像シャフトを備え、
前記現像カートリッジは、トナーを収容する筐体と、前記筐体から突出し、前記現像シャフトの一部を含む突起と、を備え、
前記揺動板は、前記現像カートリッジが前記装置本体に対して装着された状態において、前記突起を下から上に向けて押圧して、前記突起を前記ガイドに接触させる第１押しバネを有することを特徴とする、請求項１４に記載の画像形成装置。
【請求項１６】
前記装置本体は、前記カバーの移動に連動して移動する押圧部材を備え、
前記押圧部材は、
前記カバーが前記閉位置に位置する状態において、前記揺動板を前記第２位置に向かって押圧する押圧位置と、
前記カバーが前記開位置に位置する状態において、前記揺動板に対する押圧を解除し、前記揺動板を前記第１位置に位置させる押圧解除位置との間を移動可能であることを特徴とする、請求項１４または請求項１５に記載の画像形成装置。
【請求項１７】
開口を有する側壁と、前記開口を開放する開位置と前記開口を閉鎖する閉位置との間を、前記開口の下方に位置する回動軸を中心として回動可能なカバーと、を備える装置本体と、
感光ドラムを備え、前記開口を介して前記装置本体に対して装着可能なドラムカートリッジと、
現像ローラを備え、前記開口を介して前記装置本体に対して装着可能な現像カートリッジと、
前記装置本体に対して揺動可能に取り付けられ、前記現像カートリッジを支持可能な揺動板であって、前記装置本体に対する前記現像カートリッジの装着をガイドするための現像ガイドを有し、前記ドラムカートリッジおよび前記現像カートリッジが前記装置本体に対して装着された状態において、揺動することにより前記現像ローラを前記感光ドラムに対して移動させる揺動板と、を備えることを特徴とする、画像形成装置。
【発明の詳細な説明】
【技術分野】
【０００１】
本発明は、画像形成装置に関する。
【背景技術】
【０００２】
従来、装置本体と、装置本体に対して装着可能なドラムカートリッジと、装置本体に対して装着可能な現像カートリッジとを備える画像形成装置が知られている（下記特許文献１参照）。
【０００３】
ドラムカートリッジは、感光ドラムを備える。現像カートリッジは、現像ローラを備える。ドラムカートリッジおよび現像カートリッジが装置本体に装着された状態において、現像ローラは、感光ドラムに接触する。
【先行技術文献】
【特許文献】
【０００４】
【特許文献１】特開２０１５−１７５９３４号公報
【発明の概要】
【発明が解決しようとする課題】
【０００５】
上記特許文献１に記載されるような画像形成装置において、ドラムカートリッジおよび現像カートリッジが装着された状態で、現像ローラを感光ドラムに対して移動可能に構成し、そのうえで現像ローラを感光ドラムに向けて押すことで、感光ドラムと現像ローラとの位置関係を適切に保つことが望まれている。
【０００６】
そこで、本開示の目的は、ドラムカートリッジおよび現像カートリッジが装置本体に対して装着された状態において、現像ローラを感光ドラムに対して移動可能に構成し、そのうえで現像ローラを感光ドラムに向けて押すことで、感光ドラムと現像ローラとの位置関係を適切に保つことができる画像形成装置を提供することにある。
【課題を解決するための手段】
【０００７】
本発明の画像形成装置は、装置本体と、ドラムカートリッジと、現像カートリッジと、揺動板と、を備える。装置本体は、開口を有する。装置本体は、開口を開放する開位置と開口を閉鎖する閉位置との間を、回動軸を中心として回動可能なカバーを備える。ドラムカートリッジは、感光ドラムを備える。ドラムカートリッジは、開口を介して装置本体に対して装着可能である。現像カートリッジは、現像ローラを備える。現像カートリッジは、開口を介して装置本体に対して装着可能である。揺動板は、装置本体に対して揺動可能に取り付けられる。揺動板は、現像カートリッジを支持可能である。揺動板は、装置本体に対する現像カートリッジの装着をガイドするためのガイドを有する。揺動板は、ドラムカートリッジおよび現像カートリッジが装置本体に対して装着された状態において、揺動することにより現像ローラを感光ドラムに対して移動させる。開口は、装置本体の側面に設けられる。カバーの回動軸は、開口よりも下方に配置される。
【０００８】
このような構成によれば、揺動板のガイドは、装置本体に対する現像カートリッジの装着をガイドする。そして、揺動板は、装置本体に装着された現像カートリッジを支持する。そのため、ドラムカートリッジおよび現像カートリッジが装置本体に対して装着された状態において、揺動板が揺動すると、現像カートリッジは揺動板の揺動とともに移動する。その結果、現像ローラは、感光ドラムに対して移動することができる。
【発明の効果】
【０００９】
本発明の画像形成装置によれば、ドラムカートリッジおよび現像カートリッジが装置本体に対して装着された状態において、現像ローラを感光ドラムに対して移動可能に構成し、そのうえで現像ローラを感光ドラムに向けて押すことで、感光ドラムと現像ローラとの位置関係を適切に保つことができる。
【図面の簡単な説明】
【００１０】
【図１】図１Ａは、本発明の画像形成装置を示す概略図であって、ドラムカートリッジおよび現像カートリッジが装置本体に装着される前の状態を示す。図１Ｂは、図１Ａに続いて、ドラムカートリッジおよび現像カートリッジが装置本体に装着された状態を示す。図１Ｃは、図１Ｂに続いて、揺動板が揺動した状態を示す。
【図２】図２は、第１実施形態の画像形成装置の断面図であって、揺動板が第２位置に位置する状態を示す。
【図３】図３は、図２に示す装置本体の断面図であって、ドラムカートリッジが装置本体に装着された状態を示す。
【図４】図４は、図３に示す装置本体にドラムカートリッジおよび現像カートリッジが装着された状態の平面図を示す。
【図５】図５は、図２に示す装置本体の断面図を示す。
【図６】図６は、図２に示す画像形成装置の断面図であって、揺動板が第１位置に位置する状態を示す。なお、現像カートリッジは、仮想線にて示される。
【図７】図７Ａは、図５に示す第１位置に位置する揺動板の拡大図である。図７Ｂは、図２に示す第２位置に位置する揺動板の拡大図である。
【図８】図８は、第２実施形態の画像形成装置の断面図であって、カムが押圧解除位置に位置する状態を示す。
【図９】図９は、図８に示す画像形成装置の断面図であって、カムが押圧位置に位置する状態を示す。
【図１０】図１０Ａは、図８に示す接触位置に位置する接触部材の拡大図である。図１０Ｂは、図９に示す接触解除位置に位置する接触部材の拡大図である。
【図１１】図１１は、第３実施形態の画像形成装置の断面図であって、押圧部材が押圧位置に位置する状態を示す。
【図１２】図１２は、図１１に示す画像形成装置の断面図であって、押圧部材が押圧解除位置に位置する状態を示す。
【図１３】図１３は、第４実施形態の画像形成装置に係る装置本体の断面図を示す。
【発明を実施するための形態】
【００１１】
１．画像形成装置１の概略
図１Ａから図１Ｃを参照して、画像形成装置１の概略について説明する。
【００１２】
画像形成装置１は、装置本体２と、ドラムカートリッジ３と、現像カートリッジ４と、揺動板５とを備える。
【００１３】
１．１  装置本体２
装置本体２は、開口２１と、開口２１に連通する内部空間２Ｂとを有する。開口２１は、装置本体２の側面２Ａに設けられる。開口２１は、ドラムカートリッジ３が装置本体２に装着されるとき、および、現像カートリッジ４が装置本体２に装着されるときに、共通して使用される。内部空間２Ｂは、ドラムカートリッジ３と現像カートリッジ４とを収容可能である。
【００１４】
装置本体２は、開口２１を有する側壁２３と、カバー２２とを備える。側壁２３は、側面２Ａを有する。カバー２２は、側壁２３に設けられるフロントカバーである。カバー２２は、開口２１を開放する開位置と開口２１を閉鎖する閉位置との間を、回動軸２２Ａを中心として回動可能である。カバー２２は、回動軸２２Ａを備える。回動軸２２Ａは、側壁２３に回転可能に支持される。カバー２２の回動軸２２Ａは、開口２１よりも下方に配置される。言い換えると、カバー２２は、開口２１を開放する開位置と開口２１を閉鎖する閉位置との間を、開口２１の下方に位置する回動軸２２Ａを中心として回動可能である。
【００１５】
１．２  ドラムカートリッジ３
ドラムカートリッジ３は、開口２１を介して装置本体２に対して装着可能である。ドラムカートリッジ３は、装置本体２に対して装着されるときに、開口２１を通って内部空間２Ｂ内に収容される。ドラムカートリッジ３は、装置本体２に装着された状態において、揺動板５に支持されず、装置本体２に支持される。ドラムカートリッジ３は、感光ドラム３０を備える。
【００１６】
１．３  現像カートリッジ４
現像カートリッジ４は、開口２１を介して装置本体２に対して装着可能である。現像カートリッジ４は、装置本体２に対して装着されるときに、開口２１を通って内部空間２Ｂ内に収容される。現像カートリッジ４は、装置本体２に装着された状態において、揺動板５に支持される。ドラムカートリッジ３および現像カートリッジ４が装置本体２に装着された状態において、現像カートリッジ４は、感光ドラム３０と閉位置に位置するカバー２２との間に位置する。現像カートリッジ４は、現像ローラ４０を備える。
【００１７】
１．４  揺動板５
揺動板５は、現像カートリッジ４を支持可能である。揺動板５は、ガイド６を有する。ガイド６は、装置本体２に対する現像カートリッジ４の装着をガイドするための現像ガイドである。揺動板５は、ガイド６にガイドされて、装置本体２に装着された現像カートリッジ４を支持する。ガイド６は、現像カートリッジ４の装着方向に延びる。現像カートリッジ４の装着方向は、現像カートリッジ４が装置本体２に装着されるときにガイド６に案内される方向である。揺動板５は、装置本体２に対して揺動可能に取り付けられる。揺動板５は、ドラムカートリッジ３および現像カートリッジ４が装置本体２に対して装着された状態において、揺動することにより現像ローラ４０を感光ドラム３０に対して移動させる。
【００１８】
２．第１実施形態
図２から図７を参照して、第１実施形態の画像形成装置１０について説明する。なお、第１実施形態の画像形成装置１０において、上記した画像形成装置１の概略で説明した部材と同様の部材には同様の符号を付し、その説明を省略する。
【００１９】
図２に示すように、画像形成装置１０は、装置本体２と、ドラムカートリッジ３と、現像カートリッジ４と、揺動板５と、第２揺動板５５（図４参照）とを備える。
【００２０】
装置本体２は、本体ケーシング２０と、レーザースキャンユニット１１と、転写ローラ１２と、定着器１３と、給紙トレイ１５と、給紙部１４とを備える。
【００２１】
本体ケーシング２０は、開口２１と、カバー２２とを備える。本体ケーシング２０は、レーザースキャンユニット１１と、転写ローラ１２と、定着器１３と、給紙トレイ１５と、給紙部１４とを収容する。内部空間２Ｂは、本体ケーシング２０内において、定着器１３と閉位置に位置するカバー２２との間、かつ、レーザースキャンユニット１１と転写ローラ１２との間に位置する。
【００２２】
レーザースキャンユニット１１は、感光ドラム３０を露光するように構成される。転写ローラ１２は、感光ドラム３０の表面に形成されたトナー像を用紙に転写するように構成される。転写ローラ１２は、ドラムカートリッジ３が装置本体２に装着された状態において、感光ドラム３０の表面に接触する。定着器１３は、トナー像が転写された用紙を加熱および加圧して、用紙にトナー像を定着させるように構成される。給紙トレイ１５は、用紙を収容するように構成される。
【００２３】
給紙部１４は、給紙トレイ１５内の用紙を、感光ドラム３０と転写ローラ１２との間に供給するように構成される。給紙部１４は、搬送ガイド１８を備える。搬送ガイド１８は、給紙トレイ１５から送り出された用紙を、感光ドラム３０と転写ローラ１２との間に向けてガイドする。
【００２４】
２．１  ドラムカートリッジ３の詳細
図３に示すように、ドラムカートリッジ３は、ドラムフレーム３３と、感光ドラム３０と、帯電ローラ３２と、ドラムハンドル３４とを備える。
【００２５】
ドラムフレーム３３は、感光ドラム３０と、帯電ローラ３２と、ドラムハンドル３４とを支持する。ドラムフレーム３３は、感光ドラム３０と帯電ローラ３２とを支持するメインフレーム３３Ａと、メインフレーム３３Ａから上下方向と交差する方向に延びる延伸部３３Ｂと、を有する。ドラムフレーム３３は、ドラムフレーム３３の延びる方向における一端と他端とを有する。感光ドラム３０および帯電ローラ３２は、ドラムフレーム３３の一端にあるメインフレーム３３Ａに配置され、ドラムハンドル３４は、ドラムフレーム３３の他端に向かって延びる延伸部３３Ｂに配置される。ドラムフレーム３３は、ドラムカートリッジ３が装置本体２に装着された状態において、搬送ガイド１８に対して上方に間隔を空けて位置する。ドラムフレーム３３の延伸部３３Ｂと搬送ガイド１８とは、ドラムカートリッジ３が装置本体２に装着された状態において、搬送パス３５を構成する。搬送パス３５は、感光ドラム３０と転写ローラ１２との間に向かう用紙の通過を許容する。
【００２６】
感光ドラム３０は、表面にトナー像が形成されるように構成される。感光ドラム３０は、軸線方向に延びる軸線３０Ａについて回転可能である。軸線方向は、上下方向および現像カートリッジ４の装着方向の両方と交差する。好ましくは、軸線方向は、上下方向および現像カートリッジ４の装着方向の両方と直交する。感光ドラム３０は、感光ドラム３０の回転軸線３０Ａに沿って延びるドラムシャフト３１を備える。
【００２７】
帯電ローラ３２は、感光ドラム３０の表面を帯電するように構成される。帯電ローラ３２は、感光ドラム３０の表面に接触する。
【００２８】
ドラムハンドル３４は、ドラムカートリッジ３が装置本体２に装着されるとき、または、ドラムカートリッジ３が装置本体２から離脱されるときに、ユーザーによって掴まれる。ドラムハンドル３４は、ドラムフレーム３３の他端から延びる。また、ドラムハンドル３４は、搬送パス３５に用紙が詰まった場合、ユーザーによって掴まれ、引き上げられる。すると、図３において仮想線で示すように、ドラムカートリッジ３は、装置本体２から離脱することなく、延伸部３３Ｂがメインフレーム３３Ａに対して回動軸３３Ｃを支点として回動する。これにより、搬送パス３５が開放され、ユーザーは、搬送パス３５に詰まった用紙を容易に取り除くことができる。
【００２９】
２．２  現像カートリッジ４の詳細
図２に示すように、現像カートリッジ４は、筐体４２と、現像ローラ４０と、現像ハンドル４６とを備える。
【００３０】
筐体４２は、トナーを収容する。筐体４２は、現像ローラ４０と、現像ハンドル４６とを支持する。
【００３１】
現像ローラ４０は、感光ドラム３０にトナーを供給するように構成される。現像ローラ４０は、ドラムカートリッジ３および現像カートリッジ４が装置本体２に装着された状態で、感光ドラム３０の表面に接触ないし近接する。現像ローラ４０は、軸線方向に延びる軸線４０Ａについて回転可能である。現像ローラ４０は、現像ローラ４０の回転軸線４０Ａに沿って延びる現像シャフト４１を備える。現像ハンドル４６は、現像カートリッジ４が装置本体２に装着されるとき、または、現像カートリッジ４が装置本体２から離脱されるときに、ユーザーによって掴まれる。現像ハンドル４６は、ドラムカートリッジ３および現像カートリッジ４が装置本体２に装着された状態で、筐体４２に対して感光ドラム３０の反対側に位置する。現像ハンドル４６は、筐体４２から延びる。
【００３２】
また、図４に示すように、現像カートリッジ４は、突起４３と、第１ボス４７Ａと、第２突起４４と、第２ボス４７Ｂとを備える。突起４３および第１ボス４７Ａは、軸線方向において筐体４２に対して一方側に位置する。第２突起４４および第２ボス４７Ｂは、軸線方向において筐体４２に対して他方側に位置する。
【００３３】
突起４３は、筐体４２から突出する。突起４３は、円柱形状を有する。突起４３は、現像シャフト４１の一部を含む。現像シャフト４１は、軸線方向における一端部４１Ａと他端部４１Ｂとを有する。具体的には、突起４３は、現像シャフト４１の一端部４１Ａを含む。第１ボス４７Ａは、筐体４２から突出する。第１ボス４７Ａは、円柱形状を有する。第１ボス４７Ａは、現像カートリッジ４の装着方向において、突起４３に対して上流側に位置する。
【００３４】
第２突起４４は、突起４３と同じ形状を有する。第２突起４４は、現像シャフト４１の一部を含む。具体的には、第２突起４４は、現像シャフト４１の他端部４１Ｂを含む。第２ボス４７Ｂは、第１ボス４７Ａと同じ形状を有する。第２ボス４７Ｂは、現像カートリッジ４の装着方向において、第２突起４４に対して上流側に位置する。
【００３５】
２．３  装置本体２の詳細
図４に示すように、装置本体２は、第１内側面２０Ａと、第２内側面２０Ｂと、第１凹部２７Ａと、本体ガイド２４と、第１本体ドラムガイド２６Ａと、第２凹部２７Ｂと、第２本体ガイド２５と、第２本体ドラムガイド２６Ｂと、第２押しバネ２８（図２参照）と、第３押しバネ２９（図２参照）とを備える。なお、第２押しバネ２８および第３押しバネ２９については、後述する「２．４  揺動板５の詳細」において説明する。
【００３６】
２．３．１  第１内側面２０Ａおよび第２内側面２０Ｂ
第１内側面２０Ａおよび第２内側面２０Ｂは、本体ケーシング２０の内面である。第１内側面２０Ａは、ドラムカートリッジ３が装置本体２に装着された状態で、ドラムカートリッジ３に対して、第２内側面２０Ｂの反対側に位置する。内部空間２Ｂは、軸線方向において、第１内側面２０Ａと第２内側面２０Ｂとの間に位置する。第１凹部２７Ａ、本体ガイド２４および第１本体ドラムガイド２６Ａは、第１内側面２０Ａに位置する。第２凹部２７Ｂ、第２本体ガイド２５および第２本体ドラムガイド２６Ｂは、第２内側面２０Ｂに位置する。
【００３７】
２．３．２  第１凹部２７Ａ、本体ガイド２４および第１本体ドラムガイド２６Ａ
図４および図５に示すように、第１凹部２７Ａは、揺動板５を収容する。本体ガイド２４は、装置本体２に対する現像カートリッジ４およびドラムカートリッジ３の装着をガイドする。本体ガイド２４は、揺動板５に向けて現像カートリッジ４およびドラムカートリッジ３をガイドする。本体ガイド２４は、第１凹部２７Ａと閉位置に位置するカバー２２との間に位置する（図４参照）。本体ガイド２４は、溝である。なお、本体ガイド２４は、リブであってもよい。本体ガイド２４は、現像カートリッジ４の装着方向に延びる。本体ガイド２４は、現像カートリッジ４の装着方向における上流端２４Ａおよび下流端２４Ｂを有する。本体ガイド２４の上流端２４Ａは、開口２１と連通する。本体ガイド２４の下流端２４Ｂは、第１凹部２７Ａと連通する。
【００３８】
第１本体ドラムガイド２６Ａは、装置本体２に対するドラムカートリッジ３の装着をガイドする。第１本体ドラムガイド２６Ａは、揺動板５を通過したドラムカートリッジ３を、感光ドラム３０が転写ローラ１２と接触する位置（図２参照）までガイドする。第１本体ドラムガイド２６Ａは、第１凹部２７Ａに対して本体ガイド２４の反対側に位置する。第１本体ドラムガイド２６Ａは、溝である。なお、第１本体ドラムガイド２６Ａは、リブであってもよい。第１本体ドラムガイド２６Ａは、第１凹部２７Ａと連通する。第１本体ドラムガイド２６Ａは、ドラムカートリッジ３が装置本体２に装着された状態において、ドラムカートリッジ３の一部と接触する（図４参照）。ドラムカートリッジ３の一部は、具体的には、軸線方向におけるドラムシャフト３１の一端部３１Ａである。ドラムシャフト３１は、軸線方向において一端部３１Ａから離れて位置する他端部３１Ｂを有する。ドラムシャフト３１の一端部３１Ａおよび他端部３１Ｂは、ドラムフレーム３３から突出する。
【００３９】
２．３．３  第２凹部２７Ｂ、第２本体ガイド２５および第２本体ドラムガイド２６Ｂ
図４に示すように、第２凹部２７Ｂは、第２揺動板５５を収容する。第２本体ガイド２５は、本体ガイド２４とともに、装置本体２に対する現像カートリッジ４およびドラムカートリッジ３の装着をガイドする。第２本体ガイド２５は、第２揺動板５５に向けて現像カートリッジ４およびドラムカートリッジ３をガイドする。第２本体ガイド２５は、第２凹部２７Ｂと閉位置に位置するカバー２２との間に位置する。第２本体ガイド２５は、本体ガイド２４と同じ形状を有する。第２本体ドラムガイド２６Ｂは、第１本体ドラムガイド２６Ａとともに、装置本体２に対するドラムカートリッジ３の装着をガイドする。第２本体ドラムガイド２６Ｂは、第２凹部２７Ｂに対して第２本体ガイド２５の反対側に位置する。第２本体ドラムガイド２６Ｂは、第１本体ドラムガイド２６Ａと同じ形状を有する。第２本体ドラムガイド２６Ｂは、ドラムカートリッジ３が装置本体２に装着された状態において、ドラムカートリッジ３の一部、具体的には、ドラムシャフト３１の他端部３１Ｂと接触する。
【００４０】
２．４  揺動板５の詳細
図６に示すように、揺動板５は、第１凹部２７Ａ内に配置される。揺動板５は、ガイド６と、第１押しバネ５１とを有する。
【００４１】
２．４．１  ガイド６
ガイド６は、装置本体２に対する現像カートリッジ４の装着をガイドするとともに、装置本体２に対するドラムカートリッジ３の装着をガイドする。言い換えれば、ガイド６は、現像カートリッジ４の装着をガイドする現像ガイドであり、かつ、ドラムカートリッジ３の装着をガイドするドラムガイドである。つまり、現像ガイドおよびドラムガイドは、共通のガイド６である。ガイド６は、溝である。なお、ガイド６は、リブであってもよい。ガイド６は、現像カートリッジ４の装着方向に延びる。ガイド６は、現像カートリッジ４の装着方向における上流端６Ａおよび下流端６Ｂを有する。ガイド６は、第１ガイド６０と、第２ガイド６１とを備える。
【００４２】
第１ガイド６０は、装置本体２に対して現像カートリッジ４が装着されるときに、現像シャフト４１をガイドし、装置本体２に対してドラムカートリッジ３が装着されるときに、ドラムシャフト３１をガイドする。つまり、第１ガイド６０は、現像シャフト４１およびドラムシャフト３１をガイドする。具体的には、第１ガイド６０は、装置本体２に対して現像カートリッジ４が装着されるときに、現像シャフト４１の一端部４１Ａを含む突起４３と、第１ボス４７Ａとをガイドし、装置本体２に対してドラムカートリッジ３が装着されるときに、ドラムシャフト３１の一端部３１Ａをガイドする。第１ガイド６０は、突起４３およびドラムシャフト３１の進入を許容する。第１ガイド６０は、溝である。第１ガイド６０は、現像カートリッジ４の装着方向および軸線方向の両方向と直交する方向において、現像シャフト４１の径以上の長さを有する。現像シャフト４１の径は、ドラムシャフト３１の径よりも長い。また、第１ガイド６０は、現像カートリッジ４の装着方向および軸線方向の両方向と直交する方向において、突起４３の径以上の長さを有する。第１ガイド６０は、現像カートリッジ４の装着方向における上流端６０Ａと下流端６０Ｂとを有する（図７Ａ参照）。第１ガイド６０の上流端６０Ａは、ガイド６の上流端６Ａである。第１ガイド６０の上流端６０Ａは、現像カートリッジ４の装着方向において、本体ガイド２４の下流端２４Ｂに対して下流側に位置する。第１ガイド６０の上流端６０Ａは、本体ガイド２４の下流端２４Ｂに近づくにつれて幅広となる。第１ガイド６０の上流端６０Ａは、カバー２２が閉位置に位置する状態において、カバー２２に向かって開放される（図２参照）。第１ガイド６０の下流端６０Ｂは、第２ガイド６１と連通する。第１ガイド６０の下流端６０Ｂは、突起４３に沿うように凹む凹部６２を有する。
【００４３】
第２ガイド６１は、現像カートリッジ４の装着方向において、第１ガイド６０の下流側に位置する。第２ガイド６１は、装置本体２に対してドラムカートリッジ３が装着されるときに、ドラムシャフト３１をガイドする。具体的には、第２ガイド６１は、第１ガイド６０を通過したドラムシャフト３１の一端部３１Ａの進入を許容して、第１本体ドラムガイド２６Ａに向けてガイドする。一方、第２ガイド６１は、装置本体２に対して現像カートリッジ４が装着されるときに、突起４３の進入を禁止する。そのため、現像カートリッジ４が装置本体２に装着された状態において、突起４３は、第１ガイド６０の下流端６０Ｂに位置して、凹部６２に嵌る。第２ガイド６１は、溝である。第２ガイド６１は、現像カートリッジ４の装着方向および軸線方向の両方向と直交する方向において、ドラムシャフト３１の径以上かつ現像シャフト４１の径未満の長さを有する。軸線方向における第２ガイド６１の寸法は、軸線方向における第１ガイド６０の寸法よりも短い（図４参照）。第２ガイド６１は、現像カートリッジ４の装着方向における上流端と下流端とを備える。第２ガイド６１の下流端は、ガイド６の下流端６Ｂである。第２ガイド６１の下流端は、ドラムシャフト３１の通過を許容する。
【００４４】
２．４．２  第１押しバネ５１
第１押しバネ５１は、現像カートリッジ４が装置本体２に対して装着された状態において、突起４３を上から下に向けて押圧して、突起４３をガイド６に接触させる。具体的には、第１押しバネ５１は、現像カートリッジ４が装置本体２に対して装着された状態において、突起４３を上から下に向けて押圧して、突起４３を第１ガイド６０の凹部６２に接触させる。第１押しバネ５１は、第１ガイド６０の凹部６２に嵌る突起４３に対して上側に位置する。第１押しバネ５１は、揺動板５に形成される溝５２に配置される。第１押しバネ５１は、上下方向に延びる。第１押しバネ５１の上端は、溝５２の内面に接触する。第１押しバネ５１の下端は、揺動板５に揺動可能に設けられる揺動部５３に接触する。揺動部５３は、第１ガイド６０の下流端６０Ｂに位置する突起４３と接触する。揺動部５３が突起４３と接触する状態において、第１押しバネ５１は、上下方向に圧縮される。第１押しバネ５１は、圧縮された状態で、弾性力により突起４３を押圧する。
【００４５】
２．４．３  揺動板５の第１位置および第２位置
図７Ａおよび図７Ｂに示すように、揺動板５は、現像カートリッジ４を本体ガイド２４から揺動板５へ案内することを許容する第１位置（図７Ａ参照）と、現像カートリッジ４を揺動板５から本体ガイド２４へ案内することを干渉する、すなわち、現像カートリッジ４を本体ガイド２４から揺動板５へ案内することを干渉する第２位置（図７Ｂ参照）との間を揺動可能である。揺動板５は、第１位置と第２位置との間を、現像カートリッジ４の装着方向と交差する方向に、軸線方向に延びる揺動中心５０Ａについて揺動可能である。揺動板５の揺動中心５０Ａは、現像カートリッジ４が装置本体２に対して装着された状態において、現像ローラ４０よりも上側に位置する（図７Ｂ参照）。揺動板５は、軸線方向と交差する方向に延びる。揺動板５は、現像カートリッジ４の装着方向において感光ドラム３０に近い一端部５Ａと、感光ドラム３０から遠い他端部５Ｂとを備える。他端部５Ｂは、一端部５Ａよりも開口２１に近い（図５参照）。揺動中心５０Ａは、揺動板５の一端部５Ａに位置する。揺動板５は、揺動板５の揺動中心５０Ａに沿って延びる貫通穴５４を備える。揺動シャフト５０は、揺動中心５０Ａに沿って第１凹部２７Ａから延びる。すなわち、揺動シャフト５０は、第１凹部２７Ａから第２内側面２０Ｂ（図４参照）に向かって延びる。また、揺動シャフト５０は、貫通穴５４に挿通されるので、揺動板５は、揺動中心５０Ａを中心に揺動可能となる。
【００４６】
図７Ａに示すように、揺動板５が第１位置に位置する状態において、ガイド６の上流端６Ａは、本体ガイド２４の下流端２４Ｂに対して、現像シャフト４１が本体ガイド２４からガイド６へ移動可能な位置に位置する。揺動板５が第１位置に位置する状態において、ガイド６の上流端６Ａは本体ガイド２４の本体ガイド２４と一致する。言い換えると、揺動板５が第１位置に位置する状態において、現像シャフト４１がガイド６から本体ガイド２４へ移動する際に、本体ガイド２４の下流端２４Ｂに引っかかることなく移動可能な位置に位置する。具体的には、揺動板５が第１位置にある状態において、ガイド６の上流端６Ａにおける上端６ＡＡと、本体ガイド２４の下流端２４Ｂにおける下端２４ＢＢとは、間隔Ｌ１を空けて位置する。軸線方向と直交し、かつ、上端６ＡＡおよび下端２４ＢＢを通過する方向において、間隔Ｌ１の寸法は、現像シャフト４１の径よりも長く、突起４３の径よりも長い。これにより、揺動板５が第１位置に位置する状態において、ガイド６の上流端６Ａは、現像シャフト４１の一端部４１Ａを含む突起４３の通過を許容する。言い換えると、揺動板５が第１位置に位置する状態において、突起４３は、本体ガイド２４からガイド６へ移動する際に上端６ＡＡに引っかからず、移動可能となる。また、揺動板５が第１位置に位置する状態において、突起４３は、ガイド６から本体ガイド２４へ移動する際に下端２４ＢＢに引っかからず、移動可能となる。
【００４７】
図７Ｂに示すように、揺動板５が第２位置に位置する状態において、ガイド６の上流端６Ａは本体ガイド２４の下流端２４Ｂに対して第１位置よりもずれる。揺動板５が第２位置に位置する状態において、ガイド６の上流端６Ａは、現像シャフト４１が本体ガイド２４からガイド６へ移動する際に、現像シャフト４１と干渉する位置に位置する。つまり、揺動板５が第１位置から第２位置に揺動すると、ガイド６の上流端６Ａは、本体ガイド２４の下流端２４Ｂに対して、現像シャフト４１が本体ガイド２４からガイド６へ移動する際に干渉する程度にずれる。言い換えると、揺動板５が第２位置に位置する状態において、本体ガイド２４の下流端２４Ｂは、現像シャフト４１がガイド６から本体ガイド２４へ移動する際に、現像シャフト４１と干渉する位置に位置する。具体的には、揺動板５が第２位置にある状態において、ガイド６の上流端６Ａにおける上端６ＡＡと、本体ガイド２４の下流端２４Ｂにおける下端２４ＢＢとは、間隔Ｌ２を空けて位置する。軸線方向と直交し、かつ、上端６ＡＡおよび下端２４ＢＢを通過する方向において、間隔Ｌ２の寸法は、突起４３の径よりも短く、現像シャフト４１の径よりも短い。これにより、揺動板５が第２位置に位置する状態において、ガイド６の上流端６Ａは、現像シャフト４１の一端部４１Ａを含む突起４３が本体ガイド２４からガイド６へ移動する際に、突起４３に干渉する。また、揺動板５が第２位置に位置する状態において、下端２４ＢＢは、現像シャフト４１の一端部４１Ａを含む突起４３がガイド６から本体ガイド２４へ移動する際に、突起４３に干渉する。揺動板５が第２位置に位置する状態は、現像カートリッジ４を着脱するのに望ましい状態ではない。
【００４８】
図７Ａに示すように、現像カートリッジ４が装置本体２に装着されていない状態において、揺動板５は、第１位置に位置する。装置本体２は、第２押しバネ２８を備える。第２押しバネ２８は、揺動板５を第２位置から第１位置に向かう方向に押圧する。第２押しバネ２８は、揺動板５に対して下側に配置される。具体的には、第２押しバネ２８は、揺動板５の他端部５Ｂに対して下側に配置される。第２押しバネ２８は、揺動板５の他端部５Ｂと第１凹部２７Ａの内面との間に位置する。第２押しバネ２８は、第１押しバネ５１よりも揺動中心５０Ａから離れて位置する。第２押しバネ２８は、上下方向に延びる。第２押しバネ２８は、揺動板５の他端部５Ｂと第１凹部２７Ａの内面との間に挟まれた状態で、上下方向に圧縮される。第２押しバネ２８は、圧縮された状態で、弾性力により揺動板５の他端部５Ｂを、下から上に向かって押圧する。第２押しバネ２８は、揺動板５の他端部５Ｂを押圧することにより、揺動板５を第２位置から第１位置に向かう方向に押圧する。
【００４９】
図７Ｂに示すように、ドラムカートリッジ３および現像カートリッジ４が装置本体２に対して装着された状態において、揺動板５は、第２位置に位置し、現像ローラ４０を感光ドラム３０に接触ないし近接させる。図２に示すように、装置本体２は、第３押しバネ２９を備える。第３押しバネ２９は、現像カートリッジ４が装置本体２に対して装着された状態において、現像カートリッジ４を押圧し、第２押しバネ２８に抗して揺動板５を第２位置に位置させる。第３押しバネ２９の押圧力は、第２押しバネ２８の押圧力よりも大きい。第３押しバネ２９は、ガイド６に対して第２押しバネ２８の反対側に位置する。第３押しバネ２９は、現像カートリッジ４が装置本体２に装着された状態で、筐体４２の上側に位置する。第３押しバネ２９は、上下方向に延びる。第３押しバネ２９の上端は、装置本体２に固定される。第３押しバネ２９の下端には、接触部２９Ａが固定される。接触部２９Ａは、現像カートリッジ４が装置本体２に装着された状態で、筐体４２、具体的には筐体４２が有する凹部４８と接触する（図４参照）。接触部２９Ａが筐体４２と接触する状態で、第３押しバネ２９は、上下方向に圧縮される。第３押しバネ２９は、圧縮された状態で、弾性力により筐体４２を、上から下に向かって押圧する。第３押しバネ２９は、現像カートリッジ４が装置本体２に対して装着された状態において、筐体４２を押圧することにより、第２押しバネ２８に抗して揺動板５を第２位置に位置させる。
【００５０】
２．５  第２揺動板５５の詳細
図４に示すように、第２揺動板５５は、軸線方向において、揺動板５と間隔を隔てて位置する。第２揺動板５５は、揺動板５と同じ形状を有する。第２揺動板５５は、ガイド６と同じ形状を有するガイド７を備える。第２揺動板５５は、第２凹部２７Ｂ内に配置される。第２揺動板５５は、揺動板５と同様に第１位置と第２位置との間を揺動可能である。装置本体２は、図示しないが、第２押しバネ２８と同じ形状の第４押しバネを有する。第４押しバネは、第２揺動板５５を第２位置から第１位置に向かう方向に押圧する。第４押しバネは、第２揺動板５５に対して下側に配置される。また、装置本体２は、第３押しバネ２９と同じ形状の第５押しバネ３８を有する。第５押しバネ３８は、現像カートリッジ４が装置本体２に対して装着された状態において、現像カートリッジ４を押圧し、第４押しバネに抗して第２揺動板５５を第２位置に位置させる。
【００５１】
２．６  ドラムカートリッジ３および現像カートリッジ４の装着
次いで、装置本体２に対するドラムカートリッジ３および現像カートリッジ４の装着について説明する。なお、現像カートリッジ４は、ドラムカートリッジ３が装置本体２に装着された後に、装置本体２に装着される。
【００５２】
図５に示すように、装置本体２に対してドラムカートリッジ３および現像カートリッジ４を装着するには、ユーザーは、まず、カバー２２を開位置に位置させる。このとき、揺動板５は、第１位置に位置する。そして、図３に示すように、ユーザーが、ドラムカートリッジ３を本体ガイド２４に嵌めて、装置本体２の内部空間２Ｂに向かって押し込むと、ドラムカートリッジ３は、本体ガイド２４によってガイドされた後、揺動板５のガイド６によってガイドされて、次いで、第１本体ドラムガイド２６Ａにガイドされる。このとき、ドラムシャフト３１は、本体ガイド２４およびガイド６を順次通過した後、第１本体ドラムガイド２６Ａに到達する。これにより、ドラムカートリッジ３は、感光ドラム３０が転写ローラ１２と接触する位置に位置する。つまり、装置本体２に対するドラムカートリッジ３の装着が完了する。
【００５３】
次いで、図６に示すように、ユーザーが、現像カートリッジ４を、本体ガイド２４に嵌めて装置本体２の内部空間２Ｂに向かって押し込むと、現像カートリッジ４は、本体ガイド２４によってガイドされた後、ガイド６の第１ガイド６０にガイドされる。このとき、突起４３は、本体ガイド２４を通過した後、第１ガイド６０の下流端６０Ｂに到達する。そして、突起４３は、凹部６２に嵌る。また、第１ボス４７Ａは、本体ガイド２４を通過した後、第１ガイド６０内に位置する。これによって、現像カートリッジ４は、揺動板５に支持される。また、現像カートリッジ４が揺動板５に支持された状態において、第３押しバネ２９は、現像カートリッジ４を押圧する。これにより、図２に示すように、揺動板５は、第１位置から第２位置に揺動する。そして、現像ローラ４０は、感光ドラム３０と接触する。これにより、装置本体２に対する現像カートリッジ４の装着が完了する。
【００５４】
２．７  作用効果
画像形成装置１０によれば、揺動板５のガイド６が、装置本体２に対する現像カートリッジ４の装着をガイドする。そのため、現像カートリッジ４を装置本体２に円滑に装着することができる。そして、揺動板５は、装置本体２に装着された現像カートリッジ４を支持する。そのため、ドラムカートリッジ３および現像カートリッジ４が装置本体２に対して装着された状態において、揺動板５が揺動すると、現像カートリッジ４は揺動板５の揺動とともに移動する。その結果、現像ローラ４０を感光ドラム３０に対して移動させることができる。
【００５５】
また、画像形成装置１０によれば、揺動板５は、現像カートリッジ４を揺動可能に支持する。さらに、第３押しバネ２９は、現像カートリッジ４の装着方向と交差し、かつ、現像カートリッジ４の装着に干渉しない方向から、現像カートリッジ４を付勢する。ここで、画像形成装置１０のように、カバー２２が現像ローラ４０に対して感光ドラム３０の反対側に位置する場合、すなわち、カバー２２から内部空間２Ｂの奥に向かって、現像ローラ４０、感光ドラム３０の順に並ぶ場合、現像ローラ４０を感光ドラム３０に対してカバー２２から内部空間２Ｂの奥に向かう方向にバネ等で付勢する必要がある。しかし、このようなバネは、現像カートリッジ４の装着の際に、現像カートリッジに干渉する障害物となる。そこで、画像形成装置１０によれば、第３押しバネ２９は、現像カートリッジ４の装着方向と交差し、かつ、現像カートリッジ４の装着に干渉しない方向から、現像カートリッジ４を付勢する。これにより、第３押しバネ２９は、現像カートリッジ４の装着の障害物にならない。
【００５６】
３．第２実施形態
図８から図１０Ｂを参照して、第２実施形態の画像形成装置７０について説明する。なお、第２実施形態の画像形成装置７０において、上記した第１実施形態で説明した部材と同様の部材には同様の符号を付し、その説明を省略する。
【００５７】
図８および図９に示すように、画像形成装置７０において、揺動板５は、カバー２２の移動に連動して、第１位置と第２位置との間を移動する。具体的には、揺動板５は、カバー２２が閉位置に位置する状態において第２位置に位置し（図８参照）、カバー２２が開位置に位置する状態において第１位置に位置する（図９参照）。また、ドラムカートリッジ３および現像カートリッジ４が装置本体２に対して装着された状態において、揺動板５が、第２位置に位置すると現像ローラ４０は感光ドラム３０に接触し（図８参照）、揺動板５が第１位置に位置すると、現像ローラ４０は感光ドラム３０から離間する（図９参照）。以下、第２実施形態の画像形成装置７０の詳細な構造について説明する。
【００５８】
３．１  装置本体２の詳細
図８および図９に示すように、装置本体２は、カム７１と、連結部材７３と、接触部材７２と、リンク部材７９とを備える。
【００５９】
カム７１は、揺動板５に対して下側に配置される。具体的には、カム７１は、揺動板５の他端部５Ｂに対して下側に配置される。カム７１は、カバー２２の移動に連動して移動する。カム７１は、カバー２２が開位置に位置する状態において、揺動板５を第１位置に向かって押圧する押圧位置（図９参照）と、カバー２２が閉位置に位置する状態において、揺動板５に対する押圧を解除して、揺動板５を第２位置に位置させる押圧解除位置（図８参照）との間を移動可能である。
【００６０】
カム７１は、押圧位置と押圧解除位置との間を、軸線方向に延びる軸線７１Ａについて回動可能である。カム７１は、楕円形状を有する。軸線７１Ａは、カム７１の中心から離れて位置する。カム７１は、軸線７１Ａに沿って延びる回動シャフト７１Ｂを備える。回動シャフト７１Ｂは、装置本体２に回転可能に支持される。カム７１が押圧位置に位置する状態において、カム７１は、揺動板５と接触する（図９参照）。この状態において、カム７１は、揺動板５を下から上に向かって押圧する。これにより、カム７１は、揺動板５を第１位置に向かって押圧する。カム７１が押圧解除位置に位置する状態において、カム７１は、揺動板５から離間する（図８参照）。これにより、カム７１は、揺動板５に対する押圧を解除して、揺動板５を第２位置に位置させる。
【００６１】
図９に示すように、連結部材７３は、カバー２２とカム７１とを連結する。連結部材７３は、カバー２２の移動とカム７１の移動とを連動させる。連結部材７３は、カバー２２が開位置から閉位置に移動するときに、カム７１を押圧位置から押圧解除位置に移動させる。連結部材７３は、カバー２２が閉位置から開位置に移動するときに、カム７１を押圧解除位置から押圧位置に移動させる。連結部材７３は、第１連結部７４と、第２連結部７５とを備える。第１連結部７４は、カバー２２に固定される。第１連結部７４は、長穴７６を有する。第２連結部７５は、カム７１と第１連結部７４とを連結する。第２連結部７５は、カム７１に連結される一端と、第１連結部７４に連結される他端とを有する。第２連結部７５の一端は、第２連結部７５の他端から離れて位置する。第２連結部７５は、連結シャフト７５Ａと、ボス７５Ｂとを備える。連結シャフト７５Ａは、第２連結部７５の一端に位置する。連結シャフト７５Ａは、軸線方向に延びる。連結シャフト７５Ａは、カム７１において軸線７１Ａから離れた位置に接続される。連結シャフト７５Ａは、カム７１に対して回動可能である。ボス７５Ｂは、第２連結部７５の他端に位置する。ボス７５Ｂは、軸線方向に延びる。ボス７５Ｂは、第１連結部７４の長穴７６に嵌る。長穴７６は、カバー２２の回動方向に延びる。長穴７６は、カバー２２の回動方向において一端と他端とを有する。ボス７５Ｂは、カバー２２が開位置に位置する状態において、長穴７６の一端に位置して、第１連結部７４と接触する。これによって、第２連結部７５は第１連結部７４により引っ張られ、カム７１は押圧位置に位置する。図８に示すように、ボス７５Ｂは、カバー２２が開位置から閉位置に移動するときに、長穴７６の一端から他端に移動して、第１連結部７４と接触する。これによって、第２連結部７５は、第１連結部７４により押圧され、カム７１を押圧位置から押圧解除位置に移動させる。
【００６２】
図１０Ａおよび図１０Ｂに示すように、接触部材７２は、現像カートリッジ４が装置本体２に装着され、かつ、カバー２２が閉位置に位置する状態において、現像カートリッジ４と接触する接触位置（図１０Ａ参照）と、現像カートリッジ４が装置本体２に装着され、かつ、カバー２２が開位置に位置する状態において、現像カートリッジ４に対する接触を解除する接触解除位置（図１０Ｂ参照）との間を移動可能である。接触部材７２は、カバー２２の移動に連動して移動する。接触部材７２は、本体ガイド２４に対してカム７１の反対側に位置する（図８参照）。接触部材７２は、現像カートリッジ４が装置本体２に装着された状態で、筐体４２の上側に位置する。接触部材７２は、押圧位置と押圧解除位置との間を、軸線方向に延びる回動軸線について回動可能である。接触部材７２は、回動シャフト７２Ａと、アーム７２Ｂと、接触部７２Ｃとを備える。回動シャフト７２Ａは、接触部材７２の回動軸線に沿って延びる。回動シャフト７２Ａは、装置本体２に回転可能に支持される。アーム７２Ｂは、回動シャフト７２Ａに固定される一端と、一端から離れて位置する他端とを備える。接触部７２Ｃは、アーム７２Ｂの他端に固定される。接触部７２Ｃは、接触部材７２が接触位置に位置する状態において、現像カートリッジ４と接触し（図１０Ａ参照）、接触部材７２が接触解除位置に位置する状態において、現像カートリッジ４から離間する（図１０Ｂ参照）。
【００６３】
リンク部材７９は、カバー２２の移動と接触部材７２の移動とを連動させる。リンク部材７９は、カバー２２が開位置から閉位置に移動するときに、接触部材７２を接触解除位置から接触位置に移動させる。リンク部材７９は、カバー２２が閉位置から開位置に移動するときに、接触部材７２を接触位置から接触解除位置に移動させる。リンク部材７９は、第１アーム７９Ａと、連結シャフト７９Ｂと、第２アーム７９Ｃと、支持部７９Ｄと、バネ７９Ｅとを備える。第１アーム７９Ａは、接触部材７２のアーム７２Ｂと連結シャフト７９Ｂとを連結する。連結シャフト７９Ｂは、第１アーム７９Ａと第２アーム７９Ｃとを連結する。連結シャフト７９Ｂは、軸線方向に延びる。連結シャフト７９Ｂは、第１アーム７９Ａおよび第２アーム７９Ｃに対して回転可能である。第２アーム７９Ｃは、軸線方向および上下方向の両方向と交差する方向に延びる。第２アーム７９Ｃは、延びる方向における一端および他端を有する。第２アーム７９Ｃの一端は、連結シャフト７９Ｂに接続される。第２アーム７９Ｃの他端は、カバー２２が開位置にある状態において、本体ケーシング２０外に突出する（図１０Ｂ参照）。第２アーム７９Ｃの他端は、カバー２２が閉位置にある状態において、カバー２２と接触して、本体ケーシング２０内に位置する（図１０Ａ参照）。支持部７９Ｄは、装置本体２に固定される。支持部７９Ｄは、第２アーム７９Ｃを移動可能に支持する。支持部７９Ｄは、穴を有する。第２アーム７９Ｃは、支持部７９Ｄの穴に通される。第２アーム７９Ｃは、リブ７９Ｆを有する。リブ７９Ｆは、支持部７９Ｄに対して連結シャフト７９Ｂの反対側に位置する。バネ７９Ｅは、支持部７９Ｄとリブ７９Ｆとの間に配置される。バネ７９Ｅは、第２アーム７９Ｃと同じ方向に延びる。バネ７９Ｅは、カバー２２が閉位置にある状態において、支持部７９Ｄとリブ７９Ｆとに挟まれて圧縮される（図１０Ａ参照）。バネ７９Ｅは、カバー２２が閉位置から開位置に移動して、カバー２２と第２アーム７９Ｃとの接触が解消したときに、リブ７９Ｆを押圧することにより、第２アーム７９Ｃの他端を本体ケーシング２０外に突出させる（図１０Ｂ参照）。
【００６４】
なお、図示しないが、装置本体２は、カム７１と同じ形状の第２カムと、連結部材７３と同じ形状の第２連結部材と、接触部材７２と同じ形状の第２接触部材と、リンク部材７９と同じ形状の第２リンク部材とを備えていてもよい。第２カムは、カバー２２が開位置に位置する状態において、第２揺動板５５（図４参照）を第１位置に向かって押圧する押圧位置と、カバー２２が閉位置に位置する状態において、第２揺動板５５に対する押圧を解除して、第２揺動板５５を第２位置に位置させる押圧解除位置との間を移動可能である。第２連結部材は、カバー２２の移動と第２カムの移動とを連動させる。第２接触部材は、接触部材７２と同様に、接触位置と接触解除位置との間を移動可能である。第２リンク部材は、カバー２２の移動と第２接触部材の移動とを連動させる。
【００６５】
３．２  現像カートリッジ４の詳細
現像カートリッジ４は、接触ユニット８０と、突出部８１とをさらに備える。図１０Ａに示すように、接触ユニット８０は、接触部材７２が接触位置に位置する状態において、接触部材７２と接触する。接触ユニット８０は、軸線方向において、筐体４２に対して一方側に位置する。なお、図示しないが、現像カートリッジ４は、接触ユニット８０と同じ形状の第２接触ユニットを備えてもよい。第２接触ユニットは、軸線方向において、筐体４２に対して他方側に位置する。接触ユニット８０は、突出板８０Ａと、バネ８０Ｂと、現像接触部８０Ｃとを備える。突出板８０Ａは、筐体４２から突出する。バネ８０Ｂは、上下方向に延びる。現像接触部８０Ｃは、バネ８０Ｂに対して上方に配置される。バネ８０Ｂの下端は、突出板８０Ａに接触する。バネ８０Ｂの上端は、現像接触部８０Ｃに接触する。現像接触部８０Ｃは、接触部材７２が接触位置に位置する状態において、接触部７２Ｃに接触される。現像接触部８０Ｃと接触部７２Ｃとが接触する状態において、バネ８０Ｂは、上下方向に圧縮される。バネ８０Ｂは、圧縮された状態で、弾性力により突出板８０Ａを下方に押圧する。
【００６６】
図８に示すように、突出部８１は、現像カートリッジ４が揺動板５に支持された状態において、揺動板５が有する受入溝８２（後述）に嵌る。突出部８１は、軸線方向において、筐体４２に対して一方側に位置する。なお、図示しないが、現像カートリッジ４は、突出部８１と同じ形状の第２突出部を備えてもよい。第２突出部は、軸線方向において、筐体４２に対して他方側に位置する。突出部８１は、現像カートリッジ４の装着方向において、突起４３に対して上流側に間隔を空けて位置する。
【００６７】
３．３  揺動板５の詳細
揺動板５は、受入溝８２と、第１押しバネ８３とを、さらに備える。受入溝８２は、現像カートリッジ４が装置本体２に対して装着された状態において、突出部８１を受け入れる。第１押しバネ８３は、現像カートリッジ４が装置本体２に対して装着された状態において、突出部８１に対して現像ローラ４０の反対側から、突出部８１を押圧する。第１押しバネ８３は、水平方向に延びる。水平方向における第１押しバネ８３の一端は、受入溝８２の内面に接触する。水平方向における第１押しバネ８３の他端は、揺動板５に揺動可能に設けられる揺動部８４に接触する。揺動部８４は、受入溝８２内に位置する突出部８１と、第１押しバネ８３との間に位置する。揺動部８４は、受入溝８２内に位置する突出部８１と接触する。揺動部８４が突出部８１と接触する状態において、第１押しバネ８３は、水平方向に圧縮される。第１押しバネ８３は、圧縮された状態で、弾性力により突出部８１を、現像ローラ４０に向かって押圧する。なお、図示しないが、第２揺動板５５は、受入溝８２と同じ形状の第２受入溝と、第１押しバネ８３と同じ形状の第２押しバネとを備えてもよい。第２受入溝は、現像カートリッジ４が装置本体２に装着された状態において、第２突出部を受け入れる。第２押しバネは、第２受入溝内に位置する第２突出部を押圧する。
【００６８】
３．４  作用効果
図８および図９に示すように、カム７１は、カバー２２が開位置に位置する状態において、揺動板５を第１位置に向かって押圧する押圧位置に位置し、カバー２２が閉位置に位置する状態において、揺動板５を第２位置に位置させる押圧解除位置に位置する。そして、カム７１は、カバー２２の移動に連動して、押圧位置と押圧解除位置との間を移動する。
【００６９】
そのため、ユーザーが現像カートリッジ４を装置本体２に装着するときに、カバー２２を開位置に位置させると、揺動板５は、カム７１により第１位置に位置する。これにより、ユーザーは、現像カートリッジ４を本体ガイド２４からガイド６へ移動させて装置本体２に装着するときに、揺動板５が第２位置に位置する場合よりも、本体ガイド２４とガイド６との段差によって操作性の悪さを感じることがない。また、現像カートリッジ４の突起４３が第１ガイド６０の下流端６０Ｂに到達した状態でも、揺動板５が揺動せず、現像ローラ４０が感光ドラム３０と接触しない。仮に、現像カートリッジ４の突起４３が第１ガイド６０の下流端６０Ｂに到達した状態で、揺動板５が揺動し、現像ローラ４０が感光ドラム３０と接触する場合、感光ドラム３０が現像ローラ４０を押し戻そうとする。このため、現像カートリッジ４の突起４３を第１ガイド６０の下流端６０Ｂに到達した状態に保つことが難しい。しかし、上述のように感光ドラム３０が現像ローラ４０を押し戻そうとしないので、現像カートリッジ４の突起４３を第１ガイド６０の下流端６０Ｂに到達した状態に保つことができる。その後、ユーザーが、カバー２２を閉位置に移動させると、揺動板５は、第２位置に位置する。これにより、現像ローラ４０を感光ドラム３０に対して移動させ、現像ローラ４０を感光ドラム３０に接触させることができる。
【００７０】
また、ユーザーが現像カートリッジ４を装置本体２から離脱するために、カバー２２を閉位置から開位置に移動させると、揺動板５は、カム７１により第２位置から第１位置に移動する。これにより、現像ローラ４０は、感光ドラム３０から離間する。その後、現像カートリッジ４は、装置本体２から離脱される。この際にも、ガイド６から本体ガイド２４への段差がないため、ユーザーは、操作性の悪さを感じることなく、現像カートリッジ４を着脱することができる。つまり、現像ローラ４０を感光ドラム３０から離間させた後、現像カートリッジ４を装置本体２から離脱させることができる。そのため、現像カートリッジ４を装置本体２から円滑に離脱させることができる。また、第２実施形態においても、上記した第１実施形態と同様の作用効果を得ることができる。
【００７１】
４．第３実施形態
図１１および図１２を参照して、第３実施形態の画像形成装置９０について説明する。なお、第３実施形態の画像形成装置９０において、上記した第１実施形態の画像形成装置１０で説明した部材と同様の部材には同様の符号を付し、その説明を省略する。
【００７２】
画像形成装置９０において、揺動板５は、現像カートリッジ４が装置本体２に対して装着された状態において、現像ローラ４０が感光ドラム３０から離間している第１位置（図１２参照）と、感光ドラム３０に対して現像ローラ４０が接触または第１位置よりも近接している第２位置（図１１参照）との間を揺動可能である。揺動板５は、現像カートリッジ４が装置本体２に対して装着され、かつ、第１位置にあるときに、現像カートリッジ４の本体ガイド２４から揺動板５への案内を許容する。揺動板５は、現像カートリッジ４が装置本体２に対して装着され、かつ、第１位置にあるときに、現像カートリッジ４のガイド６から本体ガイド２４への案内を許容する。
【００７３】
第１位置とは、現像カートリッジ４が装置本体２に装着された状態で、現像ローラ４０が感光ドラム３０から離間しており、現像ローラ４０が感光ドラム３０に非接触の状態となる位置である。また、第１位置は、現像ローラ４０から感光ドラム３０へトナーの移動が不可能な位置である。
【００７４】
第２位置とは、現像カートリッジ４が装置本体２に装着された状態かつ現像ローラ４０が感光ドラム３０に接触している状態、または、現像カートリッジ４が装置本体２に装着された状態かつ現像ローラ４０が感光ドラム３０に第１位置よりも近くにありつつ現像ローラ４０が感光ドラム３０に接触していない状態となる位置である。また、第２位置は、現像ローラ４０から感光ドラム３０へトナーの移動が可能な位置である。つまり、現像ローラ４０が感光ドラム３０に接触している状態において、現像ローラ４０から感光ドラム３０へトナーを移動させる接触現像であってもよく、現像ローラ４０が感光ドラム３０に接触していない状態において、現像ローラ４０から感光ドラム３０へトナーを移動させるジャンピング現像であってもよい。
【００７５】
揺動板５は、第１位置と第２位置との間を、現像カートリッジ４の装着方向と交差する方向に、軸線方向に延びる揺動中心５０Ａについて揺動可能である。揺動板５の揺動中心５０Ａは、現像カートリッジ４が装置本体２に対して装着された状態において、現像ローラ４０よりも下側に位置する。揺動板５は、カバー２２が閉位置に位置する状態において第２位置に位置する（図１１参照）。揺動板５が第２位置にある状態において、ガイド６の上流端６Ａにおける下端６ＡＢと、本体ガイド２４の下流端２４Ｂにおける上端２４ＢＡとは、間隔Ｌ２を空けて位置する。このとき、間隔Ｌ２は、現像カートリッジ４の突起４３の直径の半分以下の長さであり、突起４３は、ガイド６から本体ガイド２４へ移動できず、突起４３の移動が禁止されている。揺動板５は、カバー２２が開位置に位置する状態において自重により第１位置に位置する（図１２参照）。揺動板５が第１位置にある状態において、ガイド６の上流端６Ａにおける下端６ＡＢと、本体ガイド２４の下流端２４Ｂにおける上端２４ＢＡとは、間隔Ｌ１を空けて位置する。
【００７６】
以下、第３実施形態の画像形成装置９０の詳細な構造について説明する。
【００７７】
４．１  装置本体２の詳細
装置本体２は、押圧部材９１と、連結部材９２とをさらに備える。
【００７８】
押圧部材９１は、カバー２２が閉位置に位置する状態において、揺動板５を第２位置に向かって押圧する押圧位置（図１１参照）と、カバー２２が開位置に位置する状態において、揺動板５に対する押圧を解除し、揺動板５を第１位置に位置させる押圧解除位置（図１２参照）との間を移動可能である。押圧部材９１は、カバー２２の移動に連動して移動する。
【００７９】
図１１に示すように、押圧部材９１は、連結部材９２が備える第２連結部９６（後述）に支持される。押圧部材９１は、第２連結部９６の上面に配置される。押圧部材９１は、押圧バネ９３と、押圧板９４とを備える。押圧バネ９３は、押圧部材９１が押圧位置に位置する状態において、揺動板５を下から上に向かって押圧する。押圧バネ９３は、押圧部材９１が押圧位置に位置する状態において、揺動板５が備えるボス９８に対して下側に位置する。ボス９８は、揺動板５から突出する。押圧バネ９３は、上下方向に延びる。押圧バネ９３は、第２連結部９６と押圧板９４との間に配置される。押圧バネ９３の下端は、第２連結部９６の上面に接触する。押圧バネ９３の上端は、押圧板９４に接触する。押圧板９４は、第２連結部９６の上面に揺動可能に設けられる。押圧板９４は、押圧部材９１が押圧位置に位置する状態において、揺動板５と接触する。具体的には、押圧板９４は、押圧部材９１が押圧位置に位置する状態において、ボス９８と接触する。押圧板９４が揺動板５と接触する状態において、押圧バネ９３は、上下方向に圧縮される。押圧バネ９３は、圧縮された状態で、弾性力により揺動板５を押圧する。これにより、押圧部材９１は、揺動板５を第２位置に向かって押圧する。図１２に示すように、押圧板９４は、押圧部材９１が押圧解除位置に位置する状態において、揺動板５から離間する。これにより、押圧部材９１は、揺動板５に対する押圧を解除する。すると、揺動板５は、自重により第２位置から第１位置に移動する。
【００８０】
連結部材９２は、カバー２２と押圧部材９１とを連結する。連結部材９２は、カバー２２の移動と押圧部材９１の移動とを連動させる。連結部材９２は、カバー２２が開位置から閉位置に移動するときに、押圧部材９１を押圧解除位置から押圧位置に移動させる。連結部材９２は、カバー２２が閉位置から開位置に移動するときに、押圧部材９１を押圧位置から押圧解除位置に移動させる。連結部材９２は、第１連結部９５と、第２連結部９６とを備える。第１連結部９５は、カバー２２に固定される。第１連結部９５は、長穴９９を有する。第２連結部９６は、押圧部材９１と第１連結部９５とを連結する。第２連結部９６は、押圧部材９１を支持する一端と、第１連結部９５に連結される他端とを有する。第２連結部９６の一端は、第２連結部９６の他端から離れて位置する。第２連結部９６は、ボス９６Ａを備える。ボス９６Ａは、第２連結部９６の他端に位置する。ボス９６Ａは、軸線方向に延びる。ボス９６Ａは、第１連結部９５の長穴９９に嵌る。長穴９９は、カバー２２の回動方向に延びる。長穴９９は、カバー２２の回動方向において一端と他端とを有する。ボス９６Ａは、カバー２２が開位置に位置する状態において、長穴９９の一端に位置して、第１連結部９５と接触する。これによって、第２連結部９６は第１連結部９５に引っ張られ、押圧部材９１は押圧解除位置に位置する。ボス９６Ａは、カバー２２が開位置から閉位置に移動するときに、長穴９９の一端から他端に移動して、第１連結部９５と接触する。これによって、第２連結部９６は、第１連結部９５に押圧されて、押圧部材９１を押圧解除位置から押圧位置に移動させる（図１１参照）。
【００８１】
４．２  揺動板５の詳細
図１１に示すように、揺動板５は、第１押しバネ９７をさらに備える。第１押しバネ９７は、現像カートリッジ４が装置本体２に対して装着された状態において、突起４３を下から上に向けて押圧して、突起４３をガイド６に接触させる。具体的には、第１押しバネ９７は、現像カートリッジ４が装置本体２に対して装着された状態において、突起４３を下から上に向けて押圧して、突起４３を第１ガイド６０の下流端６０Ｂに接触させる。第１押しバネ９７は、現像カートリッジ４が装置本体２に装着された状態において、第１ガイド６０の下流端６０Ｂに位置する突起４３の下側に位置する。第１押しバネ９７は、揺動板５に形成される溝５２に配置される。第１押しバネ９７は、上下方向に延びる。第１押しバネ９７の下端は、溝５２の内面に接触する。第１押しバネ９７の上端は、揺動板５に揺動可能に設けられる揺動部５３と接触する。揺動部５３は、第１ガイド６０の下流端６０Ｂに位置する突起４３と接触する。揺動部５３が突起４３と接触する状態において、第１押しバネ９７は、上下方向に圧縮される。第１押しバネ９７は、圧縮された状態で、弾性力により突起４３を押圧する。
【００８２】
４．３  作用効果
第３実施形態においても、上記した第１実施形態および第２実施形態と同様の作用効果を得ることができる。
【００８３】
５．第４実施形態
図１３を参照して、第４実施形態の画像形成装置１００について説明する。なお、第４実施形態の画像形成装置１００において、上記した第１実施形態〜第３実施形態で説明した部材と同様の部材には同様の符号を付し、その説明を省略する。
【００８４】
画像形成装置１００において、揺動板５は、装置本体２に対する現像カートリッジ４の装着をガイドする現像ガイド１０１と、装置本体２に対するドラムカートリッジ３の装着をガイドするドラムガイド１０２とを有する。つまり、揺動板５は、現像ガイド１０１とドラムガイド１０２とを別々のガイドとして備える。現像ガイド１０１は、装置本体２に対して現像カートリッジ４が装着されるときに、現像シャフト４１をガイドする。現像ガイド１０１は、上記した第１ガイド６０と同じ形状を有する。ドラムガイド１０２は、装置本体２に対してドラムカートリッジ３が装着されるときに、ドラムシャフト３１をガイドする。第４実施形態においても、上記した第１実施形態〜第３実施形態と同様の作用効果を得ることができる。
【符号の説明】
【００８５】
１      画像形成装置
２      装置本体
３      ドラムカートリッジ
４      現像カートリッジ
５      揺動板
６      ガイド
６Ａ    ガイドの上流端
６Ｂ    ガイドの下流端
１０    画像形成装置
２１    開口
２２    カバー
２２Ａ  回動軸
２３    側壁
２４    本体ガイド
２４Ａ  本体ガイドの上流端
２４Ｂ  本体ガイドの下流端
２８    第２押しバネ
２９    第３押しバネ
３０    感光ドラム
３１    ドラムシャフト
４０    現像ローラ
４１    現像シャフト
４２    筐体
４３    突起
５０Ａ  揺動中心
５１    第１押しバネ
６０    第１ガイド
６１    第２ガイド
７０    画像形成装置
７１    カム
７２    接触部材
９０    画像形成装置
９１    押圧部材
９７    第１押しバネ
１００  画像形成装置
【図１】
2019049639.tif 000003
【図２】
2019049639.tif 000004
【図３】
2019049639.tif 000005
【図４】
2019049639.tif 000006
【図５】
2019049639.tif 000007
【図６】
2019049639.tif 000008
【図７】
2019049639.tif 000009
【図８】
2019049639.tif 000010
【図９】
2019049639.tif 000011
【図１０】
2019049639.tif 000012
【図１１】
2019049639.tif 000013
【図１２】
2019049639.tif 000014
【図１３】
2019049639.tif 000015